(57)【特許請求の範囲】
【請求項１】
１対の木質部材がその一方の端面と他方の端面とを近接させて配され、両方の木質部材の互いに近接させた端部分に形成された差込縦溝中に接合板が差し込まれ、木質部材及び接合板に穿たれた多数のボルト孔にボルト又はドリフトピンが差し込まれて、１対の木質部材が接合されている木質部材の接合部において、接合板が鋼材で構成され、接合板を差し込む差込縦溝の接合板の両方の側面と接する部分が、接合板の鋼材と木質部材の木質材との中間の強度及び弾性率を有する板状の補強部材で構成され、該補強部材がこれに接する木質部材に接着され、前記差込縦溝がある部分に対応する木質部材、補強部材及び接合板にそれぞれ中心を略一致させて多数のボルト孔が穿設され、これらのボルト孔にそれぞれボルト又はドリフトピンが差し込まれて１対の木質部材が接合板を介して接合されていることを特徴とする木質部材の接合部。
【請求項２】
１対の木質部材がその一方の端部分の端面を他方の端部分の側面に近接させて配され、両方の木質部材の端部分中に形成された差込縦溝中に接合板が差し込まれ、木質部材及び接合板に穿たれた多数のボルト孔にボルト又はドリフトピンが差し込まれて、１対の木質部材が接合されている木質部材の接合部において、接合板が鋼材で構成され、接合板を差し込む差込縦溝の接合板の両方の側面と接する部分が、接合板の鋼材と木質部材の木質材との中間の強度及び弾性率を有する板状の補強部材で構成され、該補強部材がこれに接する木質部材に接着され、前記差込縦溝がある部分に対応する木質部材、補強部材及び接合板にそれぞれ中心を略一致させて多数のボルト孔が穿設され、これらのボルト孔にそれぞれボルト又はドリフトピンが差し込まれて１対の木質部材が接合板を介して接合されていることを特徴とする木質部材の接合部。
【請求項３】
１対の木質部材がその一方の端面と他方の端面とを近接させて配され、両方の木質部材の互いに近接した端部分の両方の側面にそれぞれ添えて接合板が配され、木質部材及び接合板に穿たれた多数のボルト孔にボルト又はドリフトピンが差し込まれて、１対の木質部材が接合されている木質部材の接合部において、接合板が鋼材で構成され、両方の木質部材の近接した端部分の両側の接合板が添えられる部分が、接合板の鋼材と木質部材の木質材との中間の強度及び弾性率を有する板状の補強部材で構成され、該補強部材がこれに接する木質部材に接着され、前記接合板、該接合板に対応する補強部材及び木質部材にそれぞれ中心を略一致させて多数のボルト孔が穿設され、これらのボルト孔にそれぞれボルト又はドリフトピンが差し込まれて１対の木質部分が接合板を介して接合されていることを特徴とする木質部材の接合部。
【請求項４】
木質柱部材に取付けた接合板にて少なくとも１本の木質梁部材が接合されている木質柱部材の接合部において、接合板が鋼材で構成され、木質梁部材の取付位置の木質柱部材の中途に差込横溝が形成され、該差込横溝に接合板が差し込まれ、該接合板が接する差込横溝の両方の側面が、接合板の鋼材と木質柱部材の木質材との中間の強度及び弾性率を有する板状の補強部材で構成され、該補強部材がこれに接する木質柱部材に接着され、前記差込横溝がある部分に対応する木質部材、補強部材及び接合板にそれぞれ中心を略一致させて多数のボルト孔が穿設され、これらのボルト孔にそれぞれボルト又はドリフトピンが差し込まれて、接合板がその少なくとも一方の端部分を木質柱部材から突出させて接合され、木質梁部材の端部分に接合板の突出した部分を差し込む差込縦溝が形成され、該差込縦溝の接合板の両方の側面と接する部分が、接合板の鋼材と木質梁部材の木質材との中間の強度及び弾性率を有する板状の補強部材で構成され、該補強部材がこれに接する木質梁部材に接着され、前記縦溝がある部分に対応する木質梁部材、補強部材及び接合板にそれぞれ中心を略一致させて多数のボルト孔が穿設され、これらのボルト孔にそれぞれボルト又はドリフトピンが差し込まれて、木質梁部分と木質柱部材とが接合板を介して接合されていることを特徴とする木質柱部材の接合部。
【請求項５】
下側及び上側の木質柱部材と少なくしも１本の木質梁部材とが仕口金物を介して接合されている建造物の接合部において、前記仕口金物は短い鋼管又は角鋼管の下端及び上端にこれと一体化した下柱取付板及び上柱取付板を備えかつ前記短い鋼管又は角鋼管の外周部にこれと一体化した鋼材からなる少なくとも一つの梁取付板を備えており、下側及び上側の木質柱部材がその長さを階高寸法から仕口金物の成を減じた長さに造られ、下側の木質柱部材の上端に仕口金物の下柱取付板が固着され、仕口金物の上柱取付板に上側の木質柱部材の下端が固着され、木質梁部材の端部分に梁取付板が差し込まれる差込縦溝が形成され、該差込縦溝の梁取付板の両方の側面と接する部分が、接合板の鋼材と木質梁部材の木質材との中間の強度及び弾性率を有する板状の補強部材で構成され、該補強部材がこれに接する木質梁部材に接着され、前記差込縦溝がある部分に対応する木質部材、補強部材及び接合板にそれぞれ中心を略一致させて複数のボルト孔が設けられ、これらのボルト孔にそれぞれボルト又はドリフトピンが差し込まれて、木質柱部材と木質梁部分とが仕口金物を介して接合されていることを特徴とする構造物の接合部。
【請求項６】
下側及び上側の木質柱部材の上部又は下部に多数のボルトが所定の間隔をおいてその上端面及び下端面から鉛直方向に突出させて取り付けられ、下側の木質柱部材の上端から突出する各ボルトに仕口金物の下柱取付板の各ボルト孔が嵌められ、各ボルトのねじ部にナットがねじ込まれて、下側の木質柱部材の上端に仕口金物の下柱取付板が固着され、上側の木質柱部材の下端から突出する各ボルトが仕口金物の上柱取付板の各ボルト孔に差し込まれ、各ボルトのねじ部にナットがねじ込まれて、上側の木質柱部材の下端が仕口金物の上柱取付板に固着されていることを特徴とする請求項５記載の構造物の接合部。
【請求項７】
補強部材としてＦＲＰ板が用いられていることを特徴とする請求項１〜５のいずれか一つの項記載の接合部。
【請求項８】
木質部材の端部分に差込縦溝が形成され、該差込縦溝中に鋼材からなる接合板又は取付板が差し込まれ、木質部材が前記接合板又は取付板を介して他の木質部材又は金属部材に取り付けられるようになっている接合用木質部材において、接合板又は取付板が差し込まれる差込縦溝の接合板又は取付板の両方の側面と接する部分が、接合板又は取付板の鋼材と木質部材の木質材との中間の強度及び弾性率を有する板状の補強部材で構成され、該補強部材がこれに接する木質部材に接着され、前記差込縦溝がある部分に対応する木質部材及び補強部材に、接合板又は取付板に穿たれた多数のボルト孔の中心と略一致させて多数のボルト孔が穿設されていることを特徴とする接合用木質部材。
【請求項９】
木質部材の端部分の両方の側面に鋼材からなる接合板又は取付板が添えられ、木質部材が前記接合板又は取付板を介して他の木質部材又は金属部材に取り付けられるようになっている接合用木質部材において、接合板又は取付板が添えられる木質部材の端部分の両方の側面の部分が、接合板又は取付板の鋼材と木質部材の木質材との中間の強度及び弾性率を有する板状の厚さの補強部材で構成され、該補強部材がこれに接する木質部材に接着され、前記補強部材及び該補強部材に対応する木質部材に、接合板又は取付板に穿設され多数のボルト孔の中心と略一致させて多数のボルト孔が穿設されていることを特徴とする接合用木質部材。
【請求項１０】
補強部材が硬化したＦＲＰ板を木質部材に貼り付けもの又は未硬化のＦＲＰ材を木質部材に貼り付けて硬化させたものであることを特徴とする請求項８又は９記載の接合用木質部材。
【発明の詳細な説明】
【０００１】
【発明の属する技術分野】
この発明は、木質部材の接合部及び接合用木質部材に関する。
【０００２】
【従来の技術】
従来の木質部材の接合方法には、例えば、次ぎの（１）〜（４）のものがある。（１）図１８〜図２０に示すように、１対の木質部材１，２の端よりの部分の中央に金属板製の接合板３の厚さと同じ幅の縦溝１ａ，２ａを設け、縦溝１ｂ，２ｂのある部分に接合板３のボルト孔３ａに対応する位置にボルト孔１ｂ，２ｂを設け、１対の木質部材１，２の端部を対向させて両縦溝１ａ，２ａ内に接合板３を差し込み、木質部材１，２のボルト孔１ｂ，２ｂ及び接合板３のボルト孔３ａにそれぞれ座金ｗを嵌めたボルトｂを通し、それぞれボルトｂの先に座金ｗを嵌め、ボルトｂの先のねじ部にそれぞれナットｎをねじ込み、各ナットｎを締め付けて１対の木質部材１，２を接続する。
（２）図２１〜図２３に示すように、１対の木質部材４，５の端よりの部分に金属板製の接合板６のボルト孔６ａに対応する位置にボルト孔４ａ，５ａを設け、１対の木質部材４，５の端部を互いに当接させて、木質部材４，５の端よりの部分の両側にそれぞれ接合板６を添えて、木質部材４，５のボルト孔４ａ，５ａ及び接合板６のボルト孔６ａにそれぞれ座金ｗを嵌めたボルトｂを通し、それぞれボルトｂの先に座金を嵌め、ボルトｂの先のねじ部にナットｎをねじ込み、各ナットｎを締め付けて１対の木質部材４，５を接続する。
【０００３】
（３）木質材からなる梁材の下面の中央にその長手方向に延びる縦溝部を設け、この縦溝部内に樹脂を流し込んで硬化させ、木質材と一体の高強度材層を形成し、柱側面に固着した凹字型の支持金具に前記梁材の端部を挿入し、梁材の下面の木質材の面及び樹脂材層の下面を支持金具の底面に当接させ、支持金具の底面の両側から立ち上がった連結板のボルト孔、梁材の木質材のボルト孔及び高強度材層のボルト孔にボルトを通し、ボルトの先のねじ部にナットをねじ込んで、梁材を支持金具を介して柱に固定する接合方法（例えば、特許第２８１３１４９号公報参照）。
（４）単板積層材又は集成材よりなる柱用部材及び梁用部材の端部に、それぞれ鋼板製の接合板を接着剤により接着固定し、柱用部材の端部に接着した接合板と、梁用部材の端部に接着した接合板との間に鋼板製のジョイント板を配し、ジョイント板の一方の部分と柱用部材の端部に接着した接合板とをボルト・ナットにて直接結合し、ジョイント板の他方の部分を梁用部材の端部に接着した接合板にボルト・ナットにて直接結合する木質系軸組構造用の接合方法（例えば、特開平１１−５０５３２号公報参照）。
【０００４】
【発明が解決しようとする課題】
近年、木そのものが持つ素材の良さが見直され、集成材という優れた特性をもつ建築構造材料が国内でも多く生産され、スポーツ施設、集会施設、展示施設等の大規模な建築物に加えて、店舗や住宅まで集成材による木構造（集成材構造）で建築されるようになっている。
建築構造形式の一つとしてラーメン架構があるが、木構造では高い剛性と強度という要求性能を満足する柱と梁の仕口部の構成が困難であるため、これまで木構造によるラーメン架構の実現は困難とされてきた。しかしながら、我が国では数年前から集成材とボルト等の接合具との組み合わせで、大規模木造建築を対象とした高い剛性と強度を有する柱と梁との仕口部を構成する技術の開発研究が行われており、この分野の開発研究が進むことで、今後木構造による事務所ビル等の中高層建築が出現する可能性がある。
【０００５】
従来、木構造の分野では、「接合部はモーメントが最小の部分に設ける」という鉄則であるが、木構造ラーメン架構は敢えてモーメントが最大の部分で柱と梁とを接合するものである。木構造国際会議等に於いても、このような接合方法を特にＭｏｍｅｎｔ  Ｒｅｓｉｓｔｉｎｇ  Ｊｏｉｎｔという用語で表現されており、我が国ではこれを直訳して「モーメント抵抗接合」と呼んでいる。
我が国に於ける柱と梁の仕口部の開発研究もこのモーメント抵抗接合の実現のために他ならない。しかしながら、現在検討されているモーメント抵抗接合の技術は世界的にも未だ確立されたものではなく、多くは実験段階の域を出ないものである。このような現状において、この出願の発明は事務所等の中高層木造建築を対象とした木造ラーメン構造の実現を可能ならしめる木質部材の接合技術、すなわち、モーメント抵抗接合技術を提案するものである。
【０００６】
前記（１）及び（２）の接合方法では、ボルトの締め付け摩擦による接合効果は期待することができず、剪断力に対する抵抗は、ボルトの木質部材へのめり込みと、ボルトの曲げにより生ずる。この場合のボルト接合部の降伏モードが図２４及び図２５に示されている。
前記（１）の接合方法のボルト接合部の降伏モードには、（Ａ）図２４の（ａ）に示すように、木質部材のボルト孔の部分が略均一に圧潰される場合、（Ｂ）図２４の（ｂ）に示すように、ボルトｂが接合板３のボルト孔３ａの両端で曲がり、木質部材のボルトの中央よりの部分が大きく圧潰される場合、（Ｃ）図２４の（ｃ）に示すように、ボルトｂが接合板３のボルト孔３ａの両端と接合板３の側面と木質部材の側面との中間の部分で曲がり、木質部材のボルト孔の中央部の近傍の部分が少々圧潰される場合とがある。
【０００７】
前記（２）の接合方法のボルト接合部の降伏モードには、（Ｄ）図２５の（ａ）に示すように、木質部材のボルト孔の部分が略均一に圧潰される場合、（Ｅ）図２５の（ｂ）に示すように、ボルトｂが両接合板６のボルト孔６ａの部分とボルト孔の中央部からある程度離れた部分で曲がり、木質部材の両接合板６よりの部分が大きく圧潰される場合とがある。
図２４及び図２５に示されているボルト接合部の降伏モードは、木質部材の厚さとボルトの径の比によって変化するが、いずれにせよ、ボルトが木質部材中にめり込むか又はボルトが曲がることで「滑り」が生じるため、接合の程度を「剛」に保つことが困難となる。また、その滑り量を評価できる手法は現在のところ確立されておらず、節点の多いトラスや曲げ応力の卓越する接合部にボルト接合部を用いる場合には入念なチェックが必要になる。
【０００８】
前記（３）の接合方法では、木質材からなる梁材の下面に設けた梁材の長手方向の縦溝部内に樹脂を流し込んで硬化させ、木質材と一体の高強度材層を形成して、木質材からなる梁材を強化するものであるが、梁材の連結板に隣接する部分は木質材であり、高強度材層に隣接する部分は梁材の木質材であるため、梁材に沿った長手方向の力が作用すると、ボルト及び梁材の木質材のボルト孔は、前記（２）の接合方法のボルト接合部の降伏モードと同様の降伏モードを示すことになる。
すなわち、支持金具の底面の両側から立ち上がった連結板のボルト孔、梁材の木質材のボルト孔及び高強度材層のボルト孔に通したボルトは、両連結板のボルト孔の部分と中央に位置する高強度材層のボルト孔の両側の部分で曲がり、両連結板よりの木質材が大きく圧潰され、図２５の（ｂ）に示す降伏モードと同じ降伏モードを示すことになる。
【０００９】
前記（４）の接合方法では、柱用部材の端部に接着した接合鋼板と梁用部材の端部に接着した接合鋼板との間にジョイント鋼板を配し、ジョイント鋼板の一方の部分と柱用部材の端部に接着した接合鋼板とをボルト・ナットにて直接結合し、ジョイント鋼板の他方の部分を梁用部材の端部に接着した接合鋼板にボルト・ナットにて直接結合するものであり、単板積層材又は集成材よりなる柱用部材及び梁用部材の木質層をボルト・ナットにて締め付けないから、木質層の部分のボルト孔のところでボルトが曲がったり、ボルトによりボルト孔の木質層が圧潰されたりすることがない。しかし、柱用部材の端部に接着した接合鋼板がその接着部分で剥がれたり、又は梁用部材の端部に接着した接合鋼板がその接着部分で剥がれたりすると、柱用部材と梁用部材との結合を維持することが全くできない欠点がある。
【００１０】
この発明の解決しようとする課題は、上記の（１）〜（４）の従来技術が有していた欠点を有していない木質部材の接合部及び接合用木質部材を提供すること、換言すると、局部応力を木質部材に発生しにくくすることができ、ボルトの木質部材へのめり込みやボルトの曲げ降伏による滑りの発生を防止することができ、過大な力が作用した場合の急激な接合部の崩壊を防ぐことができる木質部材の接合部及び接合用木質部材を提供することにある。
【００１１】
【課題を解決するための手段】
この発明の木質部材の接合部は、１対の木質部材がその一方の端面と他方の端面とを近接させて配され、両方の木質部材の互いに近接させた端部分に形成された差込縦溝中に接合板が差し込まれ、木質部材及び接合板に穿たれた多数のボルト孔にボルト又はドリフトピンが差し込まれて、１対の木質部材が接合されている木質部材の接合部において、接合板が鋼材で構成され、接合板を差し込む差込縦溝の接合板の両方の側面と接する部分が、接合板の鋼材と木質部材の木質材との中間の強度及び弾性率を有する板状の補強部材で構成され、該補強部材がこれに接する木質部材に接着され、前記差込縦溝がある部分に対応する木質部材、補強部材及び接合板にそれぞれ中心を略一致させて多数のボルト孔が穿設され、これらのボルト孔にそれぞれボルト又はドリフトピンが差し込まれて１対の木質部材が接合板を介して接合されていることを特徴とするものである。
また、１対の木質部材がその一方の端部分の端面を他方の端部分の側面に近接させて配され、両方の木質部材の端部分中に形成された差込縦溝中に接合板が差し込まれ、木質部材及び接合板に穿たれた多数のボルト孔にボルト又はドリフトピンが差し込まれて、１対の木質部材が接合されている木質部材の接合部においても、上記と同様の構成を採用することができる。
【００１２】
また、この発明の木質部材の接合部は、１対の木質部材がその一方の端面と他方の端面とを近接させて配され、両方の木質部材の互いに近接した端部分の両方の側面にそれぞれ添えて接合板が配され、木質部材及び接合板に穿たれた多数のボルト孔にボルト又はドリフトピンが差し込まれて、１対の木質部材が接合されている木質部材の接合部において、接合板が鋼材で構成され、両方の木質部材の近接した端部分の両側の接合板が添えられる部分が、接合板の鋼材と木質部材の木質材との中間の強度及び弾性率を有する板状の補強部材で構成され、該補強部材がこれに接する木質部材に接着され、前記接合板、該接合板に対応する補強部材及び木質部材にそれぞれ中心を略一致させて多数のボルト孔が穿設され、これらのボルト孔にそれぞれボルト又はドリフトピンが差し込まれて１対の木質部分が接合板を介して接合されていることを特徴とするものである。
【００１３】
さらに、この発明の木質柱部材の接合部は、木質柱部材に取付けた接合板にて少なくとも１本の木質梁部材が接合されている木質柱部材の接合部において、接合板が鋼材で構成され、木質梁部材の取付位置の木質柱部材の中途に差込横溝が形成され、該差込横溝に接合板が差し込まれ、該接合板が接する差込横溝の両方の側面が、接合板の鋼材と木質柱部材の木質材との中間の強度及び弾性率を有する板状の補強部材で構成され、該補強部材がこれに接する木質部材に接着され、前記差込横溝がある部分に対応する木質部材、補強部材及び接合板にそれぞれ中心を略一致させて多数のボルト孔が穿設され、これらのボルト孔にそれぞれボルト又はドリフトピンが差し込まれて、接合板がその少なくとも一方の端部分を木質柱部材から突出させて接合され、木質梁部材の端部分に接合板の突出した部分を差し込む差込縦溝が形成され、該差込縦溝の接合板の両方の側面と接する部分が、接合板の鋼材と木質梁部材の木質材との中間の強度及び弾性率を有する板状の補強部材で構成され、該補強部材がこれに接する木質梁部材に接着され、前記縦溝がある部分に対応する木質梁部材、補強部材及び接合板にそれぞれ中心を略一致させて多数のボルト孔が穿設され、これらのボルト孔にそれぞれボルト又はドリフトピンが差し込まれて、木質梁部分と木質柱部材とが接合板を介して接合されていることを特徴とするものである。
【００１４】
この発明の上記接合部は、木質柱部材と木質梁部材とからなる建造物の接合部に採用することができる。
この発明の建造物の接合部は、下側及び上側の木質柱部材と少なくしも１本の木質梁部材とが仕口金物を介して接合されている建造物の接合部において、前記仕口金物は短い鋼管又は角鋼管の下端及び上端にこれと一体化した下柱取付板及び上柱取付板を備えかつ前記短い鋼管又は角鋼管の外周部にこれと一体化した鋼材からなる少なくとも一つの梁取付板を備えており、下側及び上側の木質柱部材がその長さを階高寸法から仕口金物の成を減じた長さに造られ、下側の木質柱部材の上端に仕口金物の下柱取付板が固着され、仕口金物の上柱取付板に上側の木質柱部材の下端が固着され、木質梁部材の端部分に梁取付板が差し込まれる差込縦溝が形成され、該差込縦溝の梁取付板の両方の側面と接する部分が、接合板の鋼材と木質梁部材の木質材との中間の強度及び弾性率を有する板状の補強部材で構成され、該補強部材がこれに接する木質梁部材に接着され、前記差込縦溝がある部分に対応する木質部材、補強部材及び接合板にそれぞれ中心を略一致させて複数のボルト孔が設けられ、これらのボルト孔にそれぞれボルト又はドリフトピンが差し込まれて、木質柱部材と木質梁部分とが仕口金物を介して接合されていることを特徴とするものである。
木質柱部材と仕口金物との固着は、例えば、下側及び上側の木質柱部材の上部又は下部に多数のボルトを所定の間隔をおいてその上端面及び下端面から鉛直方向に突出させて取り付け、下側の木質柱部材の上端から突出する各ボルトに仕口金物の下柱取付板の各ボルト孔を嵌め、各ボルトのねじ部にナットをねじ込んで、下側の木質柱部材の上端に仕口金物の下柱取付板を固着し、上側の木質柱部材の下端から突出する各ボルトを仕口金物の上柱取付板の各ボルト孔に差し込み、各ボルトのねじ部にナットをねじ込んで、上側の木質柱部材の下端を仕口金物の上柱取付板に固着するようにする。
【００１５】
この発明は接合用木質部材は、木質部材の端部分に差込縦溝が形成され、該差込縦溝中に鋼材からなる接合板又は取付板が差し込まれ、木質部材が前記接合板又は取付板を介して他の木質部材又は金属部材に取り付けられるようになっている接合用木質部材において、接合板又は取付板が差し込まれる差込縦溝の接合板又は取付板の両方の側面と接する部分が、接合板又は取付板の鋼材と木質部材の木質材との中間の強度及び弾性率を有する板状の補強部材で構成され、該補強部材がこれに接する木質部材に接着され、前記差込縦溝がある部分に対応する木質部材及び補強部材に、接合板又は取付板に穿たれた多数のボルト孔の中心と略一致させて多数のボルト孔が穿設されていることを特徴とするものである。
【００１６】
また、この発明は接合用木質部材は、木質部材の端部分の両方の側面に鋼材からなる接合板又は取付板が添えられ、木質部材が前記接合板又は取付板を介して他の木質部材又は金属部材に取り付けられるようになっている接合用木質部材において、接合板又は取付板が添えられる木質部材の端部分の両方の側面の部分が、接合板又は取付板の鋼材と木質部材の木質材との中間の強度及び弾性率を有する板状の補強部材で構成され、該補強部材がこれに接する木質部材に接着され、前記補強部材及び該補強部材に対応する木質部材に、接合板又は取付板に穿設され多数のボルト孔の中心と略一致させて多数のボルト孔が穿設されていることを特徴とするものである。
【００１７】
この発明における補強部材としては、通常はＦＲＰ（繊維強化プラスチック）板を用いるが、ＦＲＰ板以外のもの、例えば、アルミ合金等の金属板や、ＯＳＢ（Ｏｒｉｅｎｔｅｄ  Ｓｔｒａｎｄ  Ｂｏａｒｄ、すなわち、木材の小片を樹脂で固めて作った板材）や合板等の木質材料も用いることもできる。
ＦＲＰからなる補強部材は硬化したものを木質部材に貼り付けてもよいし、又は未硬化な状態のものを木質部材に貼り付けて硬化させてもよい。
補強部材をＦＲＰ製にすると、ＦＲＰの樹脂や繊維を選択することにより、補強部材の強度及び弾性率を接合板の鋼材と木質部材と木質材との中間に設定することができるとともに、補強部材と木質部材との接着上の相性を良くすることができる。
この発明における「木質部材」、「木質柱部材」及び「木質梁部材」は、木材又は集成材等の木質材料製のものを意味している。
【００１８】
【実施例】
実施例１は、図１〜図３に示され、木質部材の中央の差込縦溝中に接合板を差し込んで１対の木質部材を接続する例である。
木質部材１１は、木材又は集成材製の横断面が縦長の矩形の長い部材からなり、その端よりの部分の中央に補強部材であるＦＲＰ板１２の厚さｔ１の２倍と接合板１３の厚さｔ２との和に相当する幅の縦溝１１ａを形成して製作される。
木質部材１１の縦溝１１ａの内面の長手方向に延びる両方の側面に、補強部材である未硬化又は既硬化のＦＲＰ（すなわち、繊維強化プラスチック）板１２を貼り付ける。末硬化のＦＲＰ板を貼り付ける場合には、貼り付け後に硬化させる。
そうすると、木質部材１１に縦溝１１ａの両方の側面に貼り付けたＦＲＰ板１２，１２間に接合板１３の厚さｔ２に相当する差込縦溝１１ａ１が形成される。
図１〜図３に示す例では、補強部材であるＦＲＰ板１２はその厚さがｔ１であり、その縦横の寸法は木質部材１１の縦溝１１ａの内面の長手方向に延びる両方の側面の縦横の寸法と一致させてあるが、ＦＲＰ板１２の縦方向の寸法を縦溝１１ａの側面の縦方向の寸法よりも少々小さくする場合もある。
【００１９】
図１〜図３に示すように、接合板１３は、厚さｔ２の鋼板で作られ、縦方向及び横方向に間隔をおいて多数のボルト孔１３ａが穿設してあり、接合板１３の縦方向の寸法は、木質部材１１の縦溝１１ａの側面の縦方向の寸法（すなわち、木質部材１１の縦方向の寸法）と一致させてあるが、ＦＲＰ板１２の縦方向の寸法を縦溝１１ａの側面の縦方向の寸法よりも少々小さくした場合には、ＦＲＰ板１２の縦方向の寸法に合わせて、接合板１３の縦方向の寸法を木質部材１１の縦溝１１ａの側面の縦方向の寸法よりも少々小さくする。
接合板１３の横方向の寸法は、縦溝１１ａの側面の横方向の寸法の２倍よりも少々短くしてある。接合板１３の横方向の寸法は、通常、ＦＲＰ板１２の縦方向の寸法の２倍よりも幾分か短くする。
補強部材であるＦＲＰ板を貼り付けて硬化させた後に、木質部材１１及びＦＲＰ板１２の接合板１３の各ボルト孔１３ａに対応する部分にそれぞれボルト孔１１ｂ，１２ａを軸心を一致させて穿設する。
木質部材１１への縦溝１１ａの形成、縦溝１１ａの内側面へのＦＲＰ板１２の貼付、及び木質部材１１及びＦＲＰ板１２へのボルト孔１１ｂ，１２ａの穿設は、工場で行う。
【００２０】
図１〜図３に示すように、１対の木質部材１１，１１の端部を互いに対向させて位置させ、木質部材１１，１１の差込縦溝１１ａ１内に接合板３を差し込み、木質部材１１及びＦＲＰ板（補強部材）１２のボルト孔１１ｂ，１２ａ及び接合板１３のボルト孔１３ａにそれぞれ座金ｗを嵌めたボルトｂを通し、それらのボルトｂの先に座金ｗを嵌め、ボルトｂの先のねじ部にそれぞれナットｎをねじ込み、各ナットｎを締め付けると、１対の木質部材１１，１１を接合した接合部１０になる。
【００２１】
木質部材１１を、例えば、略同じ厚さの３枚の木材又は集成材製の素板１１Ａ，１１Ｂ，１１Ｃを重ねて接着して製作する場合には、図４（ａ）に示すように、素板１１Ａ，１１Ｃの端部分の一側面に未硬化のＦＲＰ材１２を貼り付け、この貼り付けた未硬化のＦＲＰ材を硬化させて、略一定の厚さのＦＲＰ板（補強部材）１２が接着されている素板１１Ａ，１１Ｃを製作する。そして、図４（ｂ）に示すように、素板１１Ａの上に素板１１Ｂを配し、この素板１１Ｂの上に素板１１Ｃを配し、かつ各板間に接着剤を施して、３枚の素板１１Ａ，１１Ｂ，１１Ｃを加圧して一体化する。そうすると、端部分のＦＲＰ板１２間に接合板１３の厚さｔ２に相当する差込縦溝１１ａ１のある接合用木質部材１１ができる。
【００２２】
なお、図５及び図６に示すように、１対の木質部材１１，１１の端部をそれらの中心軸線が直角になるように位置させ、木質部材１１，１１の差込縦溝１１ａ１，１１ａ１内に接合板３を差し込み、木質部材１１及びＦＲＰ板（補強部材）１２のボルト孔１１ｂ，１２ａ及び接合板１３のボルト孔１３ａにそれぞれ座金ｗを嵌めたボルトｂを通し、それらのボルトｂの先に座金ｗを嵌め、ボルトｂの先のねじ部にそれぞれナットｎをねじ込み、各ナットｎを締め付けるようにすることもできる。図５及び図６に示す場合は、接合板３を長辺が短辺の２倍の矩形の鋼板で構成して、前記矩形の半分（正方形）の鋼板の部分にそれぞれ縦方向及び横方向に同じ間隔でボルト孔１３ａを穿設すると、差込縦溝１１ａ１，１１ａ１内へ接合板３を差し込む際に、接合板３の向きを考慮する必要がなくなる。
【００２３】
実施例２は、図７〜図９に示され、１対の木質部材の両側に接合板を添えてそれらの木質部材を接合する例である。
木質部材２１は、木材又は集成材製の横断面が縦長の矩形の長い部材から製作されている。
木質部材２１の端部よりの部分の外側の長手方向に延びる両方の側面に、補強部材である未硬化又は既硬化のＦＲＰ板２２を貼り付ける。未硬化のＦＲＰ板を貼り付ける場合には、貼り付け後に硬化させる。
図７〜図９に示す例では、補強部材であるＦＲＰ板２２はその厚さがｔ１であり、その縦方向の寸法は木質部材２１の側面の縦方向の寸法と一致させてあるが、ＦＲＰ板２２の縦方向の寸法を木質部材１１の側面の縦方向の寸法よりも少々小さくする場合もある。ＦＲＰ板２２の横方向の寸法は、接合板２３の横方向の寸法の半分よりも少々大きくしてある。
【００２４】
図７〜図９に示すように、接合板２３は、厚さｔ２の鋼板で作られ、縦方向及び横方向に間隔をおいて多数のボルト孔２３ａが穿設されてあり、接合板２３の縦方向の寸法は、木質部材２１の側面の縦方向の寸法と一致させてあるが、ＦＲＰ板２２の縦方向の寸法を木質部材１１の側面の縦方向の寸法よりも小さくした場合には、それに合わせて、木質部材２１の縦方向の寸法よりも小さくする。
補強部材であるＦＲＰ板２２の縦横の寸法及び厚さｔ１並びに接合板１３の縦横の寸法及び厚さｔ２は、１対の木質部材２１，２１の接合部に作用する荷重に応じて定める。
補強部材であるＦＲＰ板を貼り付けて硬化した後に、木質部材２１及びＦＲＰ板２２の接合板２３の各ボルト孔２３ａに対応する部分にそれぞれボルト孔２１ａ，２２ａを軸心を一致させて穿設する。
木質部材２１の両側面へのＦＲＰ板（補強部材）２２の貼付、及び木質部材２１及びＦＲＰ板２２へのボルト孔２１ａ，２２ａの穿設は工場で行う。
【００２５】
図７〜図９に示すように、１対の木質部材２１，２１をそれらの端部を互いに当接させて位置させ、木質部材２１，２１の両側面にそれぞれ接合板２３を添えて、木質部材２１及びＦＲＰ板２２のボルト孔２１ａ，２２ａ及び接合板２３のボルト孔２３ａにそれぞれ座金ｗを嵌めたボルトｂを通し、それらのボルトｂの先に座金ｗを嵌め、ボルトｂの先のねじ部にそれぞれナットｎをねじ込み、各ナットｎを締め付けると、１対の木質部材２１，２１を接合した接合部２０となる。
【００２６】
実施例３は、図１０〜図１２に示され、木質柱部材の中途に取付けた接合板に１対の木質梁部材を１次元的に接続する例である。
木質柱部材３４は、木材又は集成材製の横断面が矩形の長い部材からなり、その中途部の前記矩形の短辺の中央部にこれを貫通する矩形の横溝３４ａを形成する。前記横溝３４ａの矩形の短辺の長さはＦＲＰ板３５の厚さｔ１の２倍と接合板３３の厚さｔ２との和に相当する長さであり、その長辺の長さは、例えば、後記木質梁部材３１の成に相当する長さである。前記横溝３４ａ内の横（水平）方向に延びる両方の側面に補強部材である未硬化又は既硬化のＦＲＰ板３５を貼り付ける。そうすると、木質柱部材３４に横溝３４ａの両方の側面に貼り付けたＦＲＰ板３５，３５間に接合板３３の厚さｔ２に相当する差込横溝３４ａ１が形成される。
そして、木質柱部材３４及びＦＲＰ板３５の接合板３３の各ボルト孔３３ａに対応する部分に、軸心を一致させてボルト孔３４ａ，３５ａを穿設して、木質柱部材３４を完成する。
【００２７】
木質梁部材３１は、木材又は集成材製の横断面が縦長の矩形の長い部材からなり、その端部よりの部分の中央に補強部材であるＦＲＰ板の厚さｔ１の２倍と接合板１３の厚さｔ２との和に相当する幅の縦溝３１ａを形成する。そして、前記縦溝３１ａの内面の長手方向に延びる両方の側面に、補強部材である未硬化又は既硬化のＦＲＰ板３２を貼り付ける。木質部材３１に縦溝３１ａの両方の側面に貼り付けたＦＲＰ板３２，３２間に接合板３３の厚さｔ２に相当する差込縦溝３１ａ１が形成される。
そして、木質梁部材３１のＦＲＰ板３２の接合板３３の各ボルト孔３３ａに対応する部分に、軸心を一致させてボルト孔３１ｂ，３２ａを穿設して、木質柱部材３４を完成する。
接合板３３は、図１０〜図１２に示すように、厚さｔ２の鋼板で作られ、接合板３３の縦方向の寸法は、木質梁部材３１の成の寸法及び木質柱部材３４の横溝３４ａの縦方向の寸法と一致させてあり、接合板３３の横方向の寸法は、木質梁部材３１の縦溝３１ａの横方向の寸法の２倍と木質柱部材３４の横溝３４ａの横方向の寸法との和よりも少々小さい寸法にしてあり、その縦方向及び横方向に間隔をおいて多数のボルト孔３３ａが穿設されている。
【００２８】
図１０〜図１２に示すように、木質柱部材３４を所定位置の基礎等の上に鉛直に建て、木質柱部材３４の中途の横溝３４ａの両方の側面に貼り付けたＦＲＰ板３５間の差込横溝３４ａ１に接合板３３を差し込んで、接合板３３の長手方向の端よりの部分を木質柱部材３４の側面から同じ長さ突出させる。それから、木質柱部材３４のボルト孔３４ｂ、ＦＲＰ板３５のボルト孔３５ａ及び接合板３３のボルト孔３３ａにそれぞれ座金Ｗを嵌めたボルトＢを通し、それらのボルトＢの先に座金Ｗを嵌め、ボルトＢの先のねじ部にそれぞれナットＮをねじ込み、各ナットＮを締め付けて、接合板３３を木質柱部材３４に固着する。
次に、１対の木質梁部材３１，３１の縦溝３１ａの側面に貼り付けたＦＲＰ板３２，３２間の差込縦溝３１ａ１に接合板３３の自由端よりの部分が差し込まれるように、１対の木質梁部材３１，３１を木質柱部材３４に向けて移動させ、木質梁部材３１，３１の端面を木質柱部材３１の両側面に当て、木質梁部材３１及びＦＲＰ板３２のボルト孔３１ａ，３２ａ及び接合板３３のボルト孔３３ａにそれぞれ座金ｗを嵌めたボルトｂを通し、それらのボルトｂの先に座金ｗを嵌め、ボルトｂの先のねじ部にナットｎをねじ込み、各ナットｎを締め付けると、木質柱部材３４と１対の木質梁部材３１，３１とを接合した接合部３０となる。
【００２９】
実施例４は、図１３〜図１７に示され、上下の木質柱部材と４本の木質梁部材とを仕口金物を用いて接合する例である。
仕口金物４５は、短い角鋼管４５ａ、下柱取付板４５ｂ、上柱取付板４５ｃ及び４枚の梁取付板４５ｄで構成される。短い角鋼管４５ａはその辺の長さが木質柱部材４３の辺の長さよりも小さい角鋼管を木質梁部材４１の成よりも幾分か長く切って作られ、下柱取付板４５ｂ及び上柱取付板４５ｃはそり辺の長さが木質柱部材４３の辺の長さよりも小さくかつ角鋼管４５ａの辺の長さよりも大きい４角形の鋼板で作られ、梁取付板４５ｄはその成（鉛直方向の寸法）が木質梁部材４３の成よりも少々小さい矩形の鋼板で作られている。前記下柱取付板４５ｂ及び上柱取付板４５ｃを、短い角鋼管４５ａの下端及び上端に、それらの辺が互いに平行になりそれらの中心が一致するように溶接し、４枚の梁取付板４５ｄを、下柱取付板４５ｂと上柱取付板４５ｃとの間の角鋼管４５ａの外周の４面の長手方向の中央にそれぞれ溶接して、仕口金物４５が製作される。
なお、下柱取付板４５ｂ及び上柱取付板４５ｃには、その角鋼管４５ａから鍔状に突出した部分にそれらの辺に沿って間隔をおいて多数のボルト孔が穿設され、各梁取付板４５ｄにも、縦方向及び横方向に間隔をおいて多数のボルト孔４５ｄ１が穿設されている。
【００３０】
木質柱部材４３は、木材又は集成材製であって、その横断面が４角形（正方形）になっており、その長さが階高寸法から仕口金物４５の鉛直方向の寸法を減じた長さにしてあり、その下部及び上部の下柱取付板４５ｂ及び上柱取付板４５ｃのボルト孔に対応するそれぞれの位置にボルトｂが植設されている。
木質柱部材４３へのボルトｂの植設は、木質柱部材４３の両端の所定の多数の位置にその長手方向に平行な孔を穿設し、それらの孔に接着剤を注入してボルトｂの軸部を差し込み、ボルトＢの軸部を木質柱部材４３に接着させることにより行うか、或いは、木質柱部材４３の両端面の所定の多数の位置にその長手方向と平行な貫通孔を穿設し、その貫通孔にボルトｂの長い軸部を差し込み、そのボルトｂの両端のねじ部を木質柱部材４３の下端面及び上端面から突出させることにより行う。
木質梁部材４１は、木材又は集成材製の横断面が縦長の矩形の長い部材からなり、その端よりの部分の中央に補強部材であるＦＲＰ板４２の厚さｔ１の２倍と梁取付板４５ｄの厚さｔ２との和に相当する幅の縦溝４１ａが形成され、その縦溝４１ａの内面の長手方向に延びる両方の側面に、梁取付板４５ｄの成と同じ成の補強部材である末硬化又は既硬化のＦＲＰ板４２が貼り付けられ、木質梁部材４１及びＦＲＰ板４２の梁取付板４５ｄの各ボルト孔４５ｄ１に対応する部分にそれぞれボルト孔４１ａ，４２ａが軸心を一致させて穿設されている。
【００３１】
図１３〜図１５に示すように、木質柱部材４３を所定位置の基礎等の上に鉛直に建て、この木質柱部材４３の上端から突出する各ボルトｂに仕口金物４５の下柱取付板４５ｂの各ボルト孔に差し込み、各ボルトｂのねじ部にナットｎをねじ込んで、下側の木質柱部材４３の上端に仕口金物４５の下柱取付板４５ｂを取り付ける。上側の木質柱部材４３の下端から突出する各ボルトｂを仕口金物４５の上柱取付板４５ｃの各ボルト孔に差し込み、各ボルトｂのねじ部にナットｎをねじ込んで、上側の木質柱部材４３の下端を仕口金物４５の上柱取付板４５ｃに取り付ける。
仕口金物４５の４枚の梁取付板４５ｄに、それぞれの木質梁部材４１の端部分の縦溝４１ａの両側面に貼り付けたＦＲＰ板（補強部材）４２間の差込縦溝４１ａ１が嵌まるように、各木質梁部材４１を仕口金物４５の各梁取付板４５ｄに向けて移動させ、木質梁部材４１及びＦＲＰ板４２のボルト孔４１ｂ，４２ａ及び各梁取付板４５ｄのボルト孔４５ｄ１にそれぞれ座金ｗを嵌めたボルトｂを通し、それらのボルトｂの先に座金ｗを嵌め、ボルトｂの先のねじ部にそれぞれナットｎをねじ込み、各ナットｎを締め付けて、各木質梁部材４１を仕口金物４５を介して各木質柱部材４３に固着する。
【００３２】
図１３〜図１５に示されたものでは、梁取付板４５ｄの成及びＦＲＰ板４２の成が木質梁部材４３の成よりも小さくなっているから、木質梁部材４３の端部よりの部分の下側及び上側には浅い縦溝４１ａ２が存在し、梁取付板４５ｄ及びＦＲＰ板４２の下側面及び上側面が露出している。
また、下側の木質柱部材４３の上端面と上側の木質柱部材４３の下端面との間の仕口金物４５の短い角鋼管４５ａ、下柱取付板４５ｂ、上柱取付板４５ｃ及び各梁取付板４５ｄの部分も露出している。
そのため、図１６及び図１７に示すように、木質梁部材４３の前記の浅い縦溝４１ａ２を、木材又は集成材製の埋木４６で埋め、また下側の木質柱部材４３の上端面と上側の木質柱部材４３の下端面との間の仕口金物４５の外側を木材又は集成材製の埋木４７で覆い、下側及び上側の木質柱部材４３の周囲の鉛直方向に延びる４面と面一になるようにする。そうすると、露出していた仕口金物４５の部分やＦＲＰ板４２の部分が埋木４６，４７で覆われ、所定の耐火性が付与され、４本の木質梁部材４１と上側及び下側の木質柱部材４３とが仕口金物４５を介して結合された建造物の接合部４０となる。
【００３３】
なお、上記実施例においては、補強部材を構成するＦＲＰ板が、樹脂がエポキシ樹脂で繊維が炭素繊維又はガラス繊維のＦＲＰ材で作られ、木質部材を構成する木質材同士の接着及び木質部材と補強部材（ＦＲＰ材）の接着にはエポキシ樹脂接着剤を用いた。
【００３４】
【発明の効果】
この発明は、特許請求の範囲の各請求項に記載した構成を備えることにより、次の（イ）〜（ヌ）の効果を奏する。
（イ）請求項１に係る発明の木質部材の接合部は、１対の木質部材がその一方の端面と他方の端面とを近接させて配され、両方の木質部材の互いに近接させた端部分に形成された差込縦溝中に接合板が差し込まれ、木質部材及び接合板に穿たれた多数のボルト孔にボルト又はドリフトピンが差し込まれて、１対の木質部材が接合されている木質部材の接合部において、接合板が鋼材で構成され、接合板を差し込む差込縦溝の接合板の両方の側面と接する部分が、接合板の鋼材と木質部材の木質材との中間の強度及び弾性率を有する板状の補強部材で構成され、該補強部材がこれに接する木質部材に接着され、前記差込縦溝がある部分に対応する木質部材、補強部材及び接合板にそれぞれ中心を略一致させて多数のボルト孔が穿設され、これらのボルト孔にそれぞれボルト又はドリフトピンが差し込まれて１対の木質部材が接合板を介して接合されているから、次の（１）〜（６）の作用効果を奏する。
（１）対の木質部材に力が作用した場合に、木質部材から直接ボルト又はドリフトピンに力が伝わらず、まず木質部材と補強部材との接着面を介して補強部材に伝わり、次に補強部材からボルト又はドリフトピンに力が流れる。そのため木質部に局部応力が発生しにくくなり、ボルトの木質部材へのめり込みによる滑りが生じなくなる。
（２）ボルト又はドリフトピンの荷重抵抗形態が曲げではなく剪断になるため、ボルトの曲げ降伏による滑りの発生がなくなる。
（３）上記の（１）及び（２）により、高い接合部強度及び接合部剛性が得られる。
（４）木質部材と補強部材との接合面を大きくとることで、高強度の接合が期待できる。
（５）接合部に大きな力が作用して、木質部材と補強部材との接着が万一切れても、木質部→ボルト→接合板（すなわち、鋼板）という力伝達の経路が保持されるから、急激な接合部の崩壊を防ぐことができる。
（６）ボルト又はドリフトピンの間隔は、木質構造の設計規準に定められているが、これは木材の低い剪断強度に立脚して定められたもので、上記のように木質部材から直接ボルトに力が伝わらない（木質部材から補強部材に力が伝わり、補強部材からボルトに力が伝わる）場合には必ずしもこの規準に従う必要がなく、ボルト間の間隔を規準値より短縮できると考えられる。このため、一般のボルト接合部に比べ、接合板の大きさを縮小でき、施工性とコストの面でのメリットが期待できる。
【００３５】
（ロ）請求項２に記載のようにすると、上記（イ）の（１）〜（６）の作用効果と同様のを作用効果を奏することができる。
（ハ）請求項３に係る発明の木質部材の接合部は、１対の木質部材がその一方の端面と他方の端面とを近接させて配され、両方の木質部材の互いに近接した端部分の両方の側面にそれぞれ添えて接合板が配され、木質部材及び接合板に穿たれた多数のボルト孔にボルト又はドリフトピンが差し込まれて、１対の木質部材が接合されている木質部材の接合部において、接合板が鋼材で構成され、両方の木質部材の近接した端部分の両側の接合板が添えられる部分が、接合板の鋼材と木質部材の木質材との中間の強度及び弾性率を有する板状の補強部材で構成され、該補強部材がこれに接する木質部材に接着され、前記接合板、該接合板に対応する補強部材及び木質部材にそれぞれ中心を略一致させて多数のボルト孔が穿設され、これらのボルト孔にそれぞれボルト又はドリフトピンが差し込まれて１対の木質部分が接合板を介して接合されているから、上記（イ）の（１）〜（６）の作用効果を奏することができるだけでなく、両方の木質部材の近接した端部分の両側の接合板が添えられる部分が、接合板の鋼材と木質部材の木質材との中間の強度及び弾性率を有する略一定の厚さの補強部材で構成され、該補強部材がこれに接する木質部材に接着されるようになっているため、木質部材への補強部材の接着が容易になる。
（ニ）請求項４記載のようにすると、上記（イ）の（１）〜（６）の作用効果と同様のを作用効果を奏することができるだけでなく、一つの接合板を用いて木質梁部分と木質柱部材とを接合することができる。
【００３６】
（ホ）請求項５に係る発明の構造物の接合部は、下側及び上側の木質柱部材と少なくしも１本の木質梁部材とが仕口金物を介して接合されている建造物の接合部において、前記仕口金物は短い鋼管又は角鋼管の下端及び上端にこれと一体化した下柱取付板及び上柱取付板を備えかつ前記短い鋼管又は角鋼管の外周部にこれと一体化した鋼材からなる少なくとも一つの梁取付板を備えており、下側及び上側の木質柱部材がその長さを階高寸法から仕口金物の成を減じた長さに造られ、下側の木質柱部材の上端に仕口金物の下柱取付板が固着され、仕口金物の上柱取付板に上側の木質柱部材の下端が固着され、木質梁部材の端部分に梁取付板が差し込まれる差込縦溝が形成され、該差込縦溝の梁取付板の両方の側面と接する部分が、接合板の鋼材と木質梁部材の木質材との中間の強度及び弾性率を有する板状の補強部材で構成され、該補強部材がこれに接する木質梁部材に接着され、前記差込縦溝がある部分に対応する木質部材、補強部材及び接合板にそれぞれ中心を略一致させて複数のボルト孔が設けられ、これらのボルト孔にそれぞれボルト又はドリフトピンが差し込まれて、木質柱部材と木質梁部分とが仕口金物を介して接合されているから、上記（イ）の（１）〜（６）の作用効果と同様の作用効果を奏することができるだけでなく、次の（７）〜（１１）の作用効果を奏する。
（７）木質柱部材と木質梁部材との接合部（仕口部）に高い接合強度及び接合剛性を期待することができる。
（８）仕口金物の短い鋼管又は角鋼管の外周部にこれと一体化した鋼材からなる少なくとも一つの梁取付板を備えており、梁取付板の数を増やすことにより、木質柱部材への木質梁部材の多方向接合が容易に実現できる。
（９）上記の（７）及び（８）により、純然たる木構造ラーメン架構が実現できる。
（１０）木質柱部材の長さは建造物の階高と仕口金物の成に応じて決められるので、建方は階毎に順次組み上げていくことになるから、確実にしかも安全に架構を組み上げることができる。
（１１）木質柱部材の長さが階高寸法より短くなるから、従来の木造の建造物の柱に比して運搬が容易になる。
（ヘ）請求項６記載のようにすると、上記（ホ）の（７）〜（１１）の作用効果を奏することができるだけでなく、下側又は上側の木質柱部材の上端又は下端の仕口金物の下柱取付板又は上柱取付板へのボルト・ナットによる取付作業の施工性が向上する。
【００３７】
（ト）請求項７に係る発明のように、補強部材としてＦＲＰ板を用いると、次の（１２）及び（１３）の作用効果を奏する。
（１２）ＦＲＰは樹脂及び繊維の適切な選定により、ＦＲＰの強度及び弾性率を木質材と鋼材（鋼板）の中間に設定することができる。特にＦＲＰは木質材に対して強度が高い割りに弾性率が木材に近いため、変形時の追随性が他の材料に比べて良く、接着部分に生じる応力の観点からも他の材料に比べて有利である。（１３）木質材の接合に使用する接着剤はエポキシ樹脂接着剤が一般的であるが、ＦＲＰの樹脂も通常エポキシ樹脂が用いられるから、ＦＲＰを用いることにより両者の接着上の相性を良くすることができる。
【００３８】
（チ）請求項８に係る発明の接合用木質部材は、木質部材の端部分に差込縦溝が形成され、該差込縦溝中に鋼材からなる接合板又は取付板が差し込まれ、木質部材が前記接合板又は取付板を介して他の木質部材又は金属部材に取り付けられるようになっている接合用木質部材において、接合板又は取付板が差し込まれる差込縦溝の接合板又は取付板の両方の側面と接する部分が、接合板又は取付板の鋼材と木質部材の木質材との中間の強度及び弾性率を有する板状の補強部材で構成され、該補強部材がこれに接する木質部材に接着され、前記差込縦溝がある部分に対応する木質部材及び補強部材に、接合板又は取付板に穿たれた多数のボルト孔の中心と略一致させて多数のボルト孔が穿設されているから、この接合用木質部材を接合板又は取付板を介して他の木質部材又は金属部材に取り付けて使用すると、上記（イ）の（１）〜（６）の作用効果と同様のを作用効果奏することができる。
この接合用木質部材は工場生産が可能な構成になっているから、これを工場生産し、それを建築現場に搬入して接合する。現場では従来と全く同じ方法で組立て作業を行えばよく、特に新しい技術や構法を必要としない。
【００３９】
（リ）請求項９に係る発明の接合用木質部材は、木質部材の端部分の両方の側面に鋼材からなる接合板又は取付板が添えられ、木質部材が前記接合板又は取付板を介して他の木質部材又は金属部材に取り付けられるようになっている接合用木質部材において、接合板又は取付板が添えられる木質部材の端部分の両方の側面の部分が、接合板又は取付板の鋼材と木質部材の木質材との中間の強度及び弾性率を有する板状の補強部材で構成され、該補強部材がこれに接する木質部材に接着され、前記補強部材及び該補強部材に対応する木質部材に、接合板又は取付板に穿設され多数のボルト孔の中心と略一致させて多数のボルト孔が穿設されているから、この接合用木質部材を接合板又は取付板を介して他の木質部材又は金属部材に取り付けて使用すると、上記（ハ）の作用効果と同様の作用効果を奏することができる。
この接合用木質部材は、接合板が添えられる木質部材の端部分の両方の側面の部分に略一定の厚さの前記補強部材を貼り付けるだけで製造できるから、工場生産に適している。工場生産した接合用木質部材を建築現場に搬入し、従来と全く同じ方法で組立て作業を行えばよく、特に新しい技術や構法を必要としない。
（ヌ）請求項１０に発明の接合用木質部材は、前記補強部材が硬化したＦＲＰ板を木質部材に貼り付けたもの又は未硬化のＦＲＰ材を木質部材に貼り付けて硬化させたものであるから、上記（ト）の（１２）及び（１３）の作用効果を奏し得るだけでなく、その製造も容易である。
【図面の簡単な説明】
【図１】実施例１の差込縦溝中に差し込まれた接合板を用いて接続した１対の木質部材の接合部の正面図
【図２】図１に示す接合部の平面図
【図３】図１に示す接合部を図１のＡ−Ａ線に沿って断面した側面図
【図４】（ａ）及び（ｂ）は接合用木質部材の作り方を示す正面図
【図５】差込縦溝中に差し込まれた接合板を用いて１対の木質部材をそれらの中心軸線が直角になるように接合した接合部の平面図
【図６】図５に示す接合部を図５のＡ−Ａ線の側から矢印方向に視た側面図
【図７】実施例２の両側に添えた接合板を用いて接続した１対の木質部材の接合部の正面図
【図８】図７に示す接合部の平面図
【図９】図７に示す接合部を図１のＡ−Ａ線に沿って断面した側面図
【図１０】実施例３の木質柱部材の仕口部に取付けた接合板を用いて木質梁部材を１次元的に接続した接合部の正面図
【図１１】図１０に示す接合部を図１０のＡ−Ａ線に沿って断面した平面図
【図１２】図１０に示す接合部を図１０のＢ−Ｂ線に沿って断面した平面図
【図１３】実施例４の木質柱部材と木質梁部材とを仕口金物を用いて接続した仕口部を図１５のＡ−Ａ線に沿って断面したの正面図
【図１４】図１３に示す仕口部を図１３のＡ−Ａ線に沿って断面したの側面図
【図１５】図１３に示す仕口部を図１３のＢ−Ｂ線に沿って断面したの平面図
【図１６】実施例４の木質柱部材と木質梁部材とを仕口金物を用いて接続した仕口部の仕口金物及びＦＲＰ板を埋め木で覆った仕口を図１４のＡ−Ａ線に沿って断面したの正面図
【図１７】図１６に示す仕口を図１６のＡ−Ａ線に沿って断面したの平面図
【図１８】従来技術の縦溝中に差し込んだ接合板を用いて接続した１対の木質部材の接合部の正面図
【図１９】図１８に示す接合部の平面図
【図２０】図１８に示す接合部を図１８のＡ−Ａ線に沿って断面した側面図
【図２１】従来技術の両側に添えた接合板を用いて接続した１対の木質部材の接合部の正面図
【図２２】図２１に示す接合部の平面図
【図２３】図２１に示す接合部を図２１のＡ−Ａ線に沿って断面した側面図
【図２４】（ａ）、（ｂ）及び（ｃ）は図１８〜図２０に図示の従来技術のボルト接合部の降伏モードを示す概略的な説明図
【図２５】（ａ）及び（ｂ）は図２１〜図２３に図示の従来技術のボルト接合部の降伏モードを示す概略的な説明図
【符号の説明】
１０，２０，３０，４０  接合部
１１，２１，３１  木質部材
１１ａ，３１ａ，４１ａ  縦溝
１１ａ１，３１ａ１，４１ａ１  差込縦溝
１１ｂ，２１ａ  ボルト孔
１２，２２，３２，３５，４２  ＦＲＰ板（補強部材）
１２ａ，２２ａ，３２ａ，３５ａ，４１ｂ，４２ａ  ボルト孔
１３，２３，３３  接合板
１３ａ，２３ａ，３３ａ  ボルト孔
３４  木質柱部材
３４ａ  横溝
３４ａ１  差込横溝
４１  木質梁部材
４５  仕口金物
４５ａ  角鋼管
４５ｂ  下柱取付板
４５ｃ  上柱取付板
４５ｄ  梁取付板
４５ｄ１  ボルト孔
４６，４７  埋め木
ｂ，Ｂ  ボルト
ｎ，Ｎ  ナット
ｔ１  ＦＲＰ板の厚さ
ｔ２  接合板の厚さ
【図１】
0003757292.tif 000002
【図２】
0003757292.tif 000003
【図３】
0003757292.tif 000004
【図４】
0003757292.tif 000005
【図５】
0003757292.tif 000006
【図６】
0003757292.tif 000007
【図７】
0003757292.tif 000008
【図８】
0003757292.tif 000009
【図９】
0003757292.tif 000010
【図１０】
0003757292.tif 000011
【図１１】
0003757292.tif 000012
【図１２】
0003757292.tif 000013
【図１３】
0003757292.tif 000014
【図１４】
0003757292.tif 000015
【図１５】
0003757292.tif 000016
【図１６】
0003757292.tif 000017
【図１７】
0003757292.tif 000018
【図１８】
0003757292.tif 000019
【図１９】
0003757292.tif 000020
【図２０】
0003757292.tif 000021
【図２１】
0003757292.tif 000022
【図２２】
0003757292.tif 000023
【図２３】
0003757292.tif 000024
【図２４】
0003757292.tif 000025
【図２５】
0003757292.tif 000026